(57)【要約】【課題】  日常生活に支障の出ない程度の手関節の可動性を確保しつつ、装着時にズレが生じることがない手関節用サポーターの提供。【解決手段】  少なくとも手首背面被覆部と手首掌面被覆部とを有するサポーター本体の手首のくるぶしに対応する部分に、当該くるぶしを被覆することなく露出せしめる切除部を設けたことを特徴とする手関節用サポーター。【選択図】  図１
2006246995.tif 000002
【特許請求の範囲】
【請求項１】
少なくとも手首背面被覆部と手首掌面被覆部とを有するサポーター本体の手首のくるぶしに対応する部分に、当該くるぶしを被覆することなく露出せしめる切除部を設けたことを特徴とする手関節用サポーター。
【請求項２】
切除部が、サポーター本体の腕側方向の辺縁部に凹湾状に設けられていることを特徴とする請求項１記載の手関節用サポーター。
【請求項３】
凹湾状切除部の奥部側端面が、上方に向って徐々に肉薄となる傾斜面となっていることを特徴とする請求項２記載の手関節用サポーター。
【請求項４】
切除部から指側方向に、更に切れ目が設けられていることを特徴とする請求項１〜３の何れか１項記載の手関節用サポーター。
【請求項５】
手首背面側被覆部の腕側方向の辺縁部と手首掌面側被覆部の腕側方向の辺縁部が一直線上にあり、かつ手首掌面側被覆部の指側方向の辺縁部が、手首背面側被覆部の指側方向の辺縁部より腕側方向に後退していることを特徴とする請求項１〜４の何れか１項記載の手関節用サポーター。
【請求項６】
手首背面側被覆部が、第２〜第５中手骨基底部から両前腕骨下端部までを被覆し得る巾を有していることを特徴とする請求項５記載の手関節用サポーター。
【請求項７】
手首背面側被覆部の腕側方向の辺縁部が、手首掌面側被覆部の腕側方向の辺縁部より指側方向に後退していると共に、手首掌面側被覆部の指側方向の辺縁部が、手首背面側被覆部の指側方向の辺縁部より腕側方向に後退していることを特徴とする請求項１〜４の何れか１項に記載の手関節用サポーター。
【請求項８】
手首背面側被覆部が、第２〜第５中手骨基底部から橈骨下端辺縁部までを被覆し得る巾を有していることを特徴とする請求項７記載の手関節用サポーター。
【請求項９】
手首掌面側被覆部が、手根骨から両前腕骨下端部までを被覆し得る巾を有していることを特徴とする請求項５〜８の何れか１項記載の手関節用サポーター。
【請求項１０】
サポーター本体が帯状体であることを特徴とする請求項１〜９の何れか１項記載の手関節用サポーター。
【請求項１１】
帯状サポーターが、固定用ベルトを備えていることを特徴とする請求項１０記載の手関節用サポーター。
【発明の詳細な説明】
【技術分野】
【０００１】
本発明は、手関節用サポーター、特にガングリオン圧迫用サポーターや腱鞘炎用サポーター、あるいはテニスやゴルフ等の運動時の手首安定用サポーターとして好適に用いられる手関節用サポーターに関する。
【背景技術】
【０００２】
従来、手関節用のサポーターあるいは装具としては種々の形態のものが報告され、また実用に供されているが、それらは何れも装着時サポーター本体が手首のくるぶし（尺骨茎状突起）を被覆することを当然の前提とするものであった。
一方、手関節は、背屈、掌屈、橈屈、尺屈、回転とその可動方向はあらゆる方向に及び、またその可動領域もかなり広範囲である。
然るとき、上記の如く従来のサポーターは、手首のくるぶしを被覆して装着するものであったため、手関節の運動により腕側方向にズレが生じ易く、往々にしてサポーター全体が手首のくるぶしを乗り越えてしまうと云う問題があった。
【０００３】
このズレを防止するために、サポーターや装具を強く締めつけることも考えられるが（例えば特許文献１参照）、過度の圧迫は血行障害を起こす問題があり、また中手部から前腕部までを全て被覆してしまった場合には、手関節の運動が阻害され、ゴルフやテニスのプレーはもとより日常生活すら困難になる、と云う問題があった。
【特許文献１】特開２０００−１９７６５５号公報
【発明の開示】
【発明が解決しようとする課題】
【０００４】
本発明は上記の如き従来の問題に鑑みてなされたもので、ゴルフやテニスのプレーあるいは日常生活に支障の出ない程度の手関節の可動性を確保しつつ、装着時にズレが生じることのない手関節用サポーターを提供することを課題とする。
【課題を解決するための手段】
【０００５】
本発明者は、上記課題を解決すべく種々検討を重ねた結果、手首のくるぶし部を除いて被覆装着すれば、極めて良い結果が得られることを見い出し、本発明を完成した。
【０００６】
すなわち、本発明は、少なくとも手首背面被覆部と手首掌面被覆部とを有するサポーター本体の手首のくるぶしに対応する部分に、当該くるぶしを被覆することなく露出せしめる切除部を設けた手関節用サポーターにより上記課題を解決したものである。
【発明の効果】
【０００７】
本発明手関節用サポーターを用いれば、日常生活に支障の出ない程度の手関節の可動性を確保しつつ、手関節部を固定し得ると共に、装着時手首のくるぶしが被覆されることなく切除部から露出した状態となるので、手関節の運動時において、サポーターが腕側方向にズレようとしても、当該露出した手首のくるぶしが障害物となり、ズレ動きが防止される。
【０００８】
従って、本発明手関節用サポーターは、特にガングリオン圧迫用サポーターや腱鞘炎用サポーター、あるいはテニスやゴルフ等の運動時の手首安定用サポーターとして好適に用いられる。
【発明を実施するための最良の形態】
【０００９】
本発明において、切除部はサポーター本体に穴状に形設しても良いが、サポーター本体の腕側方向の辺縁部に凹湾状に形設するのが、サポーター本体が過度に巾広とならないため、手関節の可動性を確保できるのでより望ましい。この場合、凹湾状の切除部は、手首のくるぶしを半周程度取り囲む面積とするのが、サポーター本体が当該くるぶしの乗り越えを防止する上で、より有利である。尚、ここに凹湾状の具体的形状としては角形湾、弧状湾の如何を問わない。また、当該凹湾状切除部の奥部側端面を、上方に向って徐々に肉薄となる傾斜面とするのが、手首のくるぶしとの密着性を高めて、より効果的にズレ動を防止することができるので望ましい。
【００１０】
また、サポーター本体の切除部の縁部には、当該切除部から指側方向に向う切れ目を更に設ければ、手関節の最大背屈を無理に強制した場合でも、当該切れ目の拡開作用により、サポーター本体が手首のくるぶしを乗り越えることを防止することができるので、より望ましい。この切れ目の長さとしては、通常３〜５mmとするのが好ましい。
【００１１】
本発明において、サポーター本体は、手首背面側被覆部の腕側方向の辺縁部と手首掌面側被覆部の腕側方向の辺縁部が一直線上にある形状とし、かつ手首掌面側被覆部の指側方向の辺縁部が手首背面側被覆部の指側方向の辺縁部より腕側方向に後退している形状とするのが、手首の掌屈動をスムースにする上でより望ましい。
【００１２】
この場合、手首背面側被覆部の巾としては、第２〜第５中手骨基底部から両前腕骨下端部までを被覆し得る巾が好ましく、また手首掌面側被覆部の巾としては、手根骨から両前腕骨下端部までを被覆し得る巾が好ましい。この手首背面側被覆部の具体的な巾寸法としては、個人差はあるものの、通常４〜６cmが好ましく、同様に手首掌面側被覆部の具体的な巾寸法としては、当該手首背面側被覆部の巾寸法より通常０．５〜１．５cm、特に１cm程度狭くするのが好ましい。
【００１３】
また、本発明において、サポーター本体の手首背面側被覆部の腕側方向の辺縁部と手首掌面側被覆部の腕側方向の辺縁部を一直線上とせずに、手首背面側被覆部の腕側方向の辺縁部が手首掌面側被覆部の腕側方向の辺縁部より指側方向に後退している形状とすれば、手首の背屈動をスムースにすることができより望ましい。
【００１４】
この場合、手首背面側被覆部の巾としては、第２〜第５中手骨基底部から橈骨下端辺縁部までを被覆し得る巾が好ましく、具体的な巾寸法としては、個人差はあるものの、通常２．５〜５．５cm、特に３〜５cmが好ましい。
【００１５】
本発明において、サポーター本体は筒状体、帯状体の如何を問わないが、より強い固定力を得る上では帯状体、特に非伸縮性素材による帯状体とするのが好ましい。また、この場合、当該帯状体の外側面に、例えば面ファスナー部を備えた固定用ベルトを、縫着等の手段により取り付けるのが、装着操作性及び強固な固定作用を得る上でより望ましい。
【実施例】
【００１６】
以下実施例を示す図面と共に本発明を更に説明する。
【００１７】
図１は、本発明手関節用サポーターの第１の実施例を示す概略平面説明図である。
図１において、１０はサポーター本体で、手首背面側被覆部１１と手首掌面側被覆部１２を連成した帯状体から構成されている。尚、この手首掌面側被覆部１２は、装着時手首掌面を被覆するのみならず、巻回により手首背面までをも被覆する長さとなっている。
【００１８】
１３は切除部で、手首のくるぶしに対応するサポーター本体１０の腕側方向の辺縁部において角形湾状に形設され、装着時当該くるぶしを被覆することなく露出せしめるようになっており、この切除部１３の端縁と露出した手首のくるぶしの係止作用によりサポーター本体１０のズレ動が防止されるようになっている。また、当該切除部１３の略１／２の奥部側領域の端面は、図２に示す如く、上部に向って徐々に肉薄となる傾斜面Ｓとなり、手首のくるぶしとの密着が高められて、より効果的にズレ動が防止されるようになっている。
【００１９】
１３ａは切れ目で、切除部１３の最奥縁部に、当該切除部１３から指側方向に向って設けられ、手関節の最大背屈時においても、該切れ目１３ａの拡開作用により、サポーター本体１０が手首のくるぶしを乗り越えないようになっている。
【００２０】
手首背面側被覆部１１の腕側方向の辺縁部１１ｂと手首掌面側被覆部１２の腕側方向の辺縁部１２ｂは一直線上にあり、かつ手首掌面側被覆部１２の指側方向の辺縁部１２ａは、手首背面側被覆部１１の指側辺縁部１１ａより腕側方向に若干後退している。すなわち、手首掌面側被覆部１２の巾は、手首背面側被覆部１１の巾より若干狭くなっており、これにより手首の掌屈動がよりスムースに行ない得るようになっている。
【００２１】
手指外面側被覆部１１は、第２〜第５中手骨基底部から両前腕骨下端部までを被覆し得る巾を有すると共に、手首掌面側被覆部１２は、手根骨から両前腕骨下端部までを被覆し得る巾を有し、これにより日常生活に支障の出ない程度の手関節の可動性を保持しつつ、手関節部を固定し得るようになっている。
【００２２】
図３は、本発明手関節用サポーターの第２の実施例を示す概略平面図である。
図３において、２０は固定用面ファスナーベルトで、図１に示したサポーター本体１０の外側面に縫着されており、これにより帯状のサポーター本体１０を手首に強固に固定し得るようになっている。
【００２３】
斯かる図３に示した固定用面ファスナーベルト２０付きサポーター本体１０は、図４に示される位置関係にて手首に装着され、手首のくるぶしＰは当該切除部１３から露出した状態となる。
【００２４】
図５は、本発明手関節用サポーターの第３の実施例を示す概略平面説明図である。
図５に示される実施例は、図１に示されるサポーター本体１０における手首背面側被覆部１１の腕側方向の辺縁部１１ｂを、手首掌面側被覆部１２の腕側方向の辺縁部１２ｂより指側方向に若干後退せしめたものである。すなわち、手首背面側被覆部１１の巾を、図１に示した手首背面側被覆部１１の巾より狭くすることにより、手首の背屈動をよりスムースに行い得るようになっている。
【００２５】
図６は、本発明手関節用サポーターの第４の実施例を示す概略平面説明図である。
図６において、２０は固定用面ファスナーベルトで、図４に示したサポーター本体１０の外側面に縫着されており、これにより帯状のサポーター本体１０を手首に強固に固定し得るようになっている。
【図面の簡単な説明】
【００２６】
【図１】本発明手関節用サポーターの第１の実施例を示す概略平面説明図。
【図２】図１のＡ−Ａ線拡大断面説明図。
【図３】本発明手関節用サポーターの第２の実施例を示す概略平面説明図。
【図４】本発明手関節用サポーターの装着時の位置関係を示す概略平面説明図。
【図５】本発明手関節用サポーターの第３の実施例を示す概略平面説明図。
【図６】本発明手関節用サポーターの第４の実施例を示す概略平面説明図。
【符号の説明】
【００２７】
１０：サポーター本体
１１：手首背面側被覆部
１１ａ：指側方向辺縁部
１１ｂ：腕側方向辺縁部
１２：手首掌面側被覆部
１２ａ：指側方向辺縁部
１２ｂ：腕側方向辺縁部
１３：切除部
１３ａ：切れ目
２０：固定用面ファスナーベルト
Ｐ：手首のくるぶし
Ｓ：傾斜面
【図１】
2006246995.tif 000003
【図２】
2006246995.tif 000004
【図３】
2006246995.tif 000005
【図４】
2006246995.tif 000006
【図５】
2006246995.tif 000007
【図６】
2006246995.tif 000008